(57)【特許請求の範囲】
【請求項１】
不定形サイズの用紙を給紙し、給紙する不定形サイズの用紙の持つ大きさの範囲が異なる複数種類の給紙トレイから、操作者が１種類を選択する画像形成装置において、
前記給紙トレイが給紙する不定形サイズの用紙の大きさの範囲を全種類の前記給紙トレイについて記憶する第１の記憶手段と、
操作者が特定の給紙トレイを選択したときに、前記第１の記憶手段から前記全種類の給紙トレイが給紙する不定形サイズの用紙の持つ大きさの範囲を読み出して、操作者が１つの前記給紙トレイを選択するように促す通知手段と、
操作者が選択した前記給紙トレイが給紙する不定形サイズの用紙の持つ大きさの範囲を記憶する第２の記憶手段と、
を有することを特徴とする画像形成装置。
【請求項２】
前記通知手段は、操作者が不定形サイズの用紙を印刷するときに、印刷を実行する前のタイミングで、前記第２の記憶手段から操作者が選択した給紙トレイが給紙する不定形サイズの用紙の持つ大きさの範囲を読み出して、該範囲内で印刷する旨を操作者に通知することを特徴とする請求項１記載の画像形成装置。
【請求項３】
前記第２の記憶手段は、前記操作者が最後に不定形サイズの用紙を印刷したときの該不定形サイズの用紙の持つ大きさを記憶し、
前記操作者が不定形サイズの用紙を印刷したときに、該不定形サイズの用紙の持つ大きさが前記第２の記憶手段に記憶され、
前記操作者が不定形サイズの用紙を印刷するときに、印刷を実行する前のタイミングで、前記第２の記憶手段に記憶させた前記不定形サイズの用紙の持つ大きさが読み出され、
該大きさが前記表示手段で前記操作者が選択した前記給紙トレイの給紙する不定形サイズの用紙の持つ大きさの範囲内であれば該大きさで、前記範囲外であれば前記範囲内の大きさで印刷する旨を前記通知手段が操作者に通知することを特徴とする請求項２記載の画像形成装置。
【請求項４】
設定されている不定形用紙サイズが、使用する給紙トレイで使用可能な不定形用紙サイズより大きい場合、使用する給紙トレイで使用可能な不定形用紙サイズの最大サイズに変更する手段を有することを特徴とする請求項１記載の画像形成装置。
【請求項５】
設定されている不定形用紙サイズが、使用する給紙トレイで使用可能な不定形用紙サイズより大きい場合、使用する給紙トレイで使用可能な不定形用紙サイズの範囲内であらかじめ定義された標準の不定形用紙サイズに変更する手段を有することを特徴とする請求項１記載の画像形成装置。
【請求項６】
設定されている不定形用紙サイズが使用する給紙トレイで使用可能な不定形用紙サイズより小さい場合、使用する給紙トレイで使用可能な不定形用紙サイズの最小サイズに変更する手段を有することを特徴とする請求項１記載の画像形成装置。
【請求項７】
設定されている不定形用紙サイズが、使用する給紙トレイで使用できる不定形用紙サイズより小さい場合、使用する給紙トレイで使用可能な不定形用紙サイズの範囲内であらかじめ定義された標準の不定形用紙サイズに変更する手段を有することを特徴とする請求項１記載の画像形成装置。
【請求項８】
あらかじめ定義された標準の不定形用紙サイズを、その給紙トレイで使用可能な不定形用紙サイズの範囲内で任意に設定できる手段を有することを特徴とする請求項５又は７記載の画像形成装置。
【請求項９】
給紙トレイの種類を変更した時に不定形用紙サイズを変更する手段を有することを特徴とする請求項４から７のいずれか１項に記載の画像形成装置。
【請求項１０】
不定形用紙で印刷をしようとした時に不定形用紙サイズを変更する手段を有することを特徴とする請求項４から７のいずれか１項に記載の画像形成装置。
【請求項１１】
不定形用紙サイズを変更する時、不定形用紙サイズを変更する旨の通知を行なう手段を有することを特徴とする請求項９又は１０記載の画像形成装置。
【請求項１２】
不定形用紙サイズを変更する旨の通知を、画像形成装置の操作パネルで表示を行なう手段を有することを特徴とする請求項１１記載の画像形成装置。
【請求項１３】
不定形用紙サイズを変更する旨の通知を、画像形成装置に接続されたホストに通知する手段を有することを特徴とする請求項１１記載の画像形成装置。
【請求項１４】
不定形用紙サイズを変更する旨の通知を、画像形成装置が接続しているネットワークに通知する手段を有することを特徴とする請求項１１記載の画像形成装置。
【請求項１５】
不定形用紙サイズを前記操作手段から設定する際、設定されている不定形用紙サイズが、使用する給紙トレイで使用可能な不定形用紙サイズより大きい場合、設定値入力表示を、使用する給紙トレイで使用可能な不定形用紙サイズの最大サイズの値に変更する手段を有することを特徴とする請求項１記載の画像形成装置。
【請求項１６】
不定形用紙サイズを前記操作手段から設定する際、設定されている不定形用紙サイズが、使用する給紙トレイで使用可能な不定形用紙サイズより大きい場合、設定値入力表示を、使用する給紙トレイで使用可能な不定形用紙サイズの範囲内であらかじめ定義された標準の不定形用紙サイズの値に変更する手段を有することを特徴とする請求項１記載の画像形成装置。
【請求項１７】
不定形用紙サイズを前記操作手段から設定する際、設定されている不定形用紙サイズが、使用する給紙トレイで使用可能な不定形用紙サイズより小さい場合、設定値入力表示を、使用する給紙トレイで使用可能な不定形用紙サイズの最小サイズの値に変更する手段を有することを特徴とする請求項１記載の画像形成装置。
【請求項１８】
不定形用紙サイズを前記操作手段から設定する際、設定されている不定形用紙サイズが、使用する給紙トレイで使用可能な不定形用紙サイズより小さい場合、設定値入力表示を、使用する給紙トレイで使用可能な不定形用紙サイズの範囲内であらかじめ定義された標準の不定形用紙サイズの値に変更する手段を有することを特徴とする請求項１記載の画像形成装置。
【発明の詳細な説明】
【技術分野】
【０００１】
本発明は、サポートできる用紙サイズの範囲毎に、専用の給紙トレイを用途に応じて切り替えて使用する、電子写真複写機、プリンタ、ファクシミリ装置などの画像形成装置に関し、その各々の専用給紙トレイで、Ａ３、Ａ４、Ｂ４等のよく使用される定形サイズの用紙とは別に、Ａ、Ｂ系列で時々しか使用しない定形サイズの用紙や、北米向けのインチ系の用紙、さらに上記以外の不定形用紙サイズを印刷する画像形成装置に関する。
【背景技術】
【０００２】
電子写真複写機、プリンタ、ファクシミリ装置などの画像形成装置に用いられる給紙トレイは、複数の用紙サイズ又は用紙種類に対応する。しかしながら、単一種類の給紙トレイで全ての用紙サイズ、又は用紙種類に対応することは困難である。そのため、既に公知の技術であるが、画像形成装置の給紙トレイとして、ある範囲毎に専用の給紙トレイを用意して用途に応じて給紙トレイを交換して使用する方式がある。
【０００３】
また、特許文献１には、複数の用紙サイズに対応する給紙トレイを備える画像形成装置について開示されている。この特許文献１に開示される画像形成装置は、用紙サイズを自動検知するか、又は、操作者が直接入力するかを選択できる手段を有することを特徴とするものである。
【特許文献１】特開平０９−３０１５４５号公報
【発明の開示】
【発明が解決しようとする課題】
【０００４】
しかしながら、上述の技術は、単一種類の給紙トレイの、用紙サイズの設定方法を提示しているにすぎない。複数の異なる範囲の用紙サイズをサポートする給紙トレイを交換して使用する画像形成装置に関しては言及されていない。
【０００５】
また、現実の問題として、複数種類の給紙トレイのうち、どの種類の給紙トレイが現在使用されているかを、装置の制御プログラムが検知できない場合が多い。そこで、既知の技術としては、給紙トレイの種類を問わずセットする可能性のある全ての用紙サイズを選択可能にするという方式がある。
しかしながらその場合、設定した用紙サイズと実際の給紙トレイのサポートする用紙サイズとの整合は利用者まかせとなっている。そのために、実際の給紙トレイにはセット不可能な用紙サイズ、特に、給紙トレイで対応できる範囲を超えたサイズ設定がされている不定形の用紙サイズを誤って設定してしまう可能性があるという問題があった。
【０００６】
そこで、本発明は、対応できる用紙サイズの範囲が異なった、複数種類の給紙トレイを交換して使用する画像形成装置において、実際に使用する給紙トレイで使用する不定形の用紙サイズの範囲を超えた不定形の用紙サイズを、操作者が設定、又は、印刷することを防止することを目的とする。
【課題を解決するための手段】
【０００７】
上記目的を達成するためになされた請求項１記載の発明は、不定形サイズの用紙を給紙し、給紙する不定形サイズの用紙の持つ大きさの範囲が異なる複数種類の給紙トレイから、操作者が１種類を選択する画像形成装置において、前記給紙トレイが給紙する不定形サイズの用紙の大きさの範囲を全種類の前記給紙トレイについて記憶する第１の記憶手段と、操作者が特定の給紙トレイを選択したときに、前記第１の記憶手段から前記全種類の給紙トレイが給紙する不定形サイズの用紙の持つ大きさの範囲を読み出して、操作者が１つの前記給紙トレイを選択するように促す通知手段と、操作者が選択した前記給紙トレイが給紙する不定形サイズの用紙の持つ大きさの範囲を記憶する第２の記憶手段と、を有することを特徴とする画像形成装置を提供する。
【０００８】
請求項２記載の発明は、請求項１記載の画像形成装置において、前記通知手段は、操作者が不定形サイズの用紙を印刷するときに、印刷を実行する前のタイミングで、前記第２の記憶手段から操作者が選択した給紙トレイが給紙する不定形サイズの用紙の持つ大きさの範囲を読み出して、該範囲内で印刷する旨を操作者に通知することを特徴とする。
【０００９】
請求項３記載の発明は、請求項２記載の画像形成装置において、前記第２の記憶手段は、前記操作者が最後に不定形サイズの用紙を印刷したときの該不定形サイズの用紙の持つ大きさを記憶し、前記操作者が不定形サイズの用紙を印刷したときに、該不定形サイズの用紙の持つ大きさが前記第２の記憶手段に記憶され、前記操作者が不定形サイズの用紙を印刷するときに、印刷を実行する前のタイミングで、前記第２の記憶手段に記憶させた前記不定形サイズの用紙の持つ大きさが読み出され、該大きさが前記表示手段で前記操作者が選択した前記給紙トレイの給紙する不定形サイズの用紙の持つ大きさの範囲内であれば該大きさで、前記範囲外であれば前記範囲内の大きさで印刷する旨を前記通知手段が操作者に通知することを特徴とする。
【００１０】
請求項４記載の発明は、請求項１記載の画像形成装置において、設定されている不定形用紙サイズが、使用する給紙トレイで使用可能な不定形用紙サイズより大きい場合、使用する給紙トレイで使用可能な不定形用紙サイズの最大サイズに変更する手段を有することを特徴とする。
【００１１】
請求項５記載の発明は、請求項１記載の画像形成装置において、設定されている不定形用紙サイズが、使用する給紙トレイで使用可能な不定形用紙サイズより大きい場合、使用する給紙トレイで使用可能な不定形用紙サイズの範囲内であらかじめ定義された標準の不定形用紙サイズに変更する手段を有することを特徴とする。
【００１２】
請求項６記載の発明は、請求項１記載の画像形成装置において、設定されている不定形用紙サイズが使用する給紙トレイで使用可能な不定形用紙サイズより小さい場合、使用する給紙トレイで使用可能な不定形用紙サイズの最小サイズに変更する手段を有することを特徴とする。
【００１３】
請求項７記載の発明は、請求項１記載の画像形成装置において、設定されている不定形用紙サイズが、使用する給紙トレイで使用できる不定形用紙サイズより小さい場合、使用する給紙トレイで使用可能な不定形用紙サイズの範囲内であらかじめ定義された標準の不定形用紙サイズに変更する手段を有することを特徴とする。
【００１４】
請求項８記載の発明は、請求項５又は７記載の画像形成装置において、あらかじめ定義された標準の不定形用紙サイズを、その給紙トレイで使用可能な不定形用紙サイズの範囲内で任意に設定できる手段を有することを特徴とする。
【００１５】
請求項９記載の発明は、請求項４から７のいずれか１項記載の画像形成装置において、給紙トレイの種類を変更した時に不定形用紙サイズを変更する手段を有することを特徴とする。
【００１６】
請求項１０記載の発明は、請求項４から７のいずれか１項記載の画像形成装置において、不定形用紙で印刷をしようとした時に不定形用紙サイズを変更する手段を有することを特徴とする。
【００１７】
請求項１１記載の発明は、請求項９又は１０記載の画像形成装置において、不定形用紙サイズを変更する時、不定形用紙サイズを変更する旨の通知を行なう手段を有することを特徴とする。
【００１８】
請求項１２記載の発明は、請求項１１記載の画像形成装置において、不定形用紙サイズを変更する旨の通知を、画像形成装置の操作パネルで表示を行なう手段を有することを特徴とする。
【００１９】
請求項１３記載の発明は、請求項１１記載の画像形成装置において、不定形用紙サイズを変更する旨の通知を、画像形成装置に接続されたホストに通知する手段を有することを特徴とする。
【００２０】
請求項１４記載の発明は、請求項１１記載の画像形成装置において、不定形用紙サイズを変更する旨の通知を、画像形成装置が接続しているネットワークに通知する手段を有することを特徴とする。
【００２１】
請求項１５記載の発明は、請求項１記載の画像形成装置において、不定形用紙サイズを前記操作手段から設定する際、設定されている不定形用紙サイズが、使用する給紙トレイで使用可能な不定形用紙サイズより大きい場合、設定値入力表示を、使用する給紙トレイで使用可能な不定形用紙サイズの最大サイズの値に変更する手段を有することを特徴とする。
【００２２】
請求項１６記載の発明は、請求項１記載の画像形成装置において、不定形用紙サイズを前記操作手段から設定する際、設定されている不定形用紙サイズが、使用する給紙トレイで使用可能な不定形用紙サイズより大きい場合、設定値入力表示を、使用する給紙トレイで使用可能な不定形用紙サイズの範囲内であらかじめ定義された標準の不定形用紙サイズの値に変更する手段を有することを特徴とする。
【００２３】
請求項１７記載の発明は、請求項１記載の画像形成装置において、不定形用紙サイズを前記操作手段から設定する際、設定されている不定形用紙サイズが、使用する給紙トレイで使用可能な不定形用紙サイズより小さい場合、設定値入力表示を、使用する給紙トレイで使用可能な不定形用紙サイズの最小サイズの値に変更する手段を有することを特徴とする。
【００２４】
請求項１８記載の発明は、請求項１記載の画像形成装置において、不定形用紙サイズを前記操作手段から設定する際、設定されている不定形用紙サイズが、使用する給紙トレイで使用可能な不定形用紙サイズより小さい場合、設定値入力表示を、使用する給紙トレイで使用可能な不定形用紙サイズの範囲内であらかじめ定義された標準の不定形用紙サイズの値に変更する手段を有することを特徴とする。
【発明の効果】
【００２５】
本発明によれば、対応できる不定形の用紙サイズが異なった、複数種類の給紙トレイを交換して使用する画像形成装置において、実際に使用する給紙トレイで使用する不定形の用紙サイズ範囲を超えた不定形の用紙サイズが設定、又は、印刷することを防止できる。
【発明を実施するための最良の形態】
【００２６】
以下、本発明の好ましい実施の形態を、図面を参照して詳細に説明する。
本発明の画像形成装置１は、図１に示したようなコントローラの機能を有する特徴を持つ。以下にコントローラの機能の説明を述べる。
【００２７】
コントローラ２は、そのとき設定されている制御モード及び、ホスト３若しくはネットワーク１５からの制御コードに従って、ホストからの印字データを、ビデオデータに変換してプリンタエンジン１３へ出力する制御機構の総称で、以下のようなモジュールで構成される。
ホストＩ／Ｆ５は、ホスト３から画像形成装置への制御信号及びデータ、及び画像形成装置１からホスト３へのステータス信号のインターフェースである。
ネットワークＩ／Ｆ１６は、ネットワーク１５から画像形成装置への制御信号及びデータ、及び画像形成装置１からネットワーク１５へのステータス信号のインターフェースである。
【００２８】
ＣＰＵ９は、プログラムＲＯＭ６に従ってホスト３からのデータ（印字データ、制御データなど）を処理する。
ＲＡＭ１０、及びオプションＲＡＭ１４は、ＣＰＵ９が処理するときのワークメモリ、ホスト３からのデータをページ単位に管理して一次記憶するバッファ、及びバッファに記憶されたデータを実際の印字パターンに変換し、ビデオデータを記憶するビットマップメモリなどに使われる。
ＨＤＤ（大量記憶装置）１７は、大容量のデータを記憶する。ホスト３から受信した印刷文書を蓄積して後で印刷する蓄積文書印刷機能の文書を蓄積する場所としても使われる。
【００２９】
ＮＶ−ＲＡＭ１１（Nonvolatile RAM）は、電源を切っても保持したいデータを格納しておくための不揮発性ＲＡＭである。
フォントＲＯＭ７は、印字に使用されるさまざまな種類のフォントを有する。
エンジンＩ／Ｆ１２は、コントローラ２からプリンタエンジン１３への制御信号やビデオデータ、及び画像形成装置１からコントローラ２へのステータス信号のインターフェースである。
プリンタエンジン１３は、コントローラ２からのビデオ信号及び制御信号により感光体上に静電潜像を作り、現像し、また給紙部より転写紙を給紙し、転写及び定着し、画像を形成する。
【００３０】
操作パネル４は、画像形成装置１の状態を示す表示部、及び画像形成装置１のモード、フォントなどを切り替えるスイッチ部からなる。
パネルＩ／Ｆ８は、コントローラ２と操作パネル４とのインターフェースである。
【００３１】
以上で図１のコントローラの機能の説明を終える。次に、ホスト若しくはネットワークから送られてきたデータがどのように処理されるかの一連の流れを、ホストから印刷データが送られてきた場合に例を取って説明する。
【００３２】
（受信処理）
ホストＩ／Ｆ５を通してホスト３から送られてきた印刷データは、ＣＰＵ９がプログラムＲＯＭ６上のデータ解析プログラムに従って解析し、印字データ及び印字制御データ（ＳＰ，ＣＲ，ＬＦ，ＨＴ，ＶＴ，など）及びその他に分けられる。印字データ及び印字制御データはＲＡＭ１０上の受信バッファに一旦記憶される。
【００３３】
（描画処理）
一旦記憶された受信データは、プログラムＲＯＭ６上の制御プログラムが一つずつ取り出して、その処理を行う。
例えば、取り出したデータが、文字コードであれば、印字位置、印字サイズ、文字コード、フォント情報などを備えた中間コードを作成し、ＲＡＭ１０上に設けられた中間バッファに収納する。取り出したデータが、制御コードやエスケープシーケンスなどのコマンドであった場合は、それらにあらかじめ定義された処理を行う。
【００３４】
あらかじめ定義された処理の例を示す。例えば取り出したデータが、印字位置の指定の制御コードであれば、次に来た文字コードの位置を指定された位置にする。又は、フォントの変更であれば、次に来た文字コードのフォント情報を指定されたフォントにする。
このようにして、ホストから送られてきた印刷データに従って印刷命令処理を行うか、または処理を行ったデータが１ページ分を超えたら、次に中間バッファに蓄えられた中間コードを、制御プログラムに従って、ビデオデータに変換する処理を行う。
【００３５】
（出力処理）
変換が終了したら、コントローラ２はエンジンＩ／Ｆ１２を通してプリンタエンジン１３にプリントスタートの命令を出し、それに同期してビデオデータを転送する。以上のような一連の流れでホスト３からの印刷データがプリンタエンジン１３を介して印刷される。
【００３６】
次に、請求項１の発明の一実施例を図２と図３を用いて示す。
本発明の画像形成装置は、給紙トレイとして、通常の用紙サイズ（例としてＡ４〜Ａ３）をサポートする通常トレイと、小さな用紙サイズ（例としてハガキ〜Ｂ５）をサポートする小サイズトレイなど、複数の給紙トレイを使用可能である。しかし、それらの給紙トレイの種類をプリンタエンジン１３で検知する手段を有していない。
そこで、本発明ではコントローラ２側に、操作者が給紙トレイの種類を設定若しくは保存する手段を設けた。操作者は給紙トレイの種類を交換する度に、給紙トレイの種類の設定をする。
【００３７】
具体的な例を挙げる。図２で示す例は、給紙トレイは「第２トレイ」から「第５トレイ」までの４つを有し、交換できる給紙トレイの種類は「通常」と「小サイズ」の２種を有する画像形成装置において、操作者が操作パネルを用いて操作する例である。操作者は、操作パネルで「メニュー」キーを押下した後に表示されるメニューに従って、「調整／管理」→「一般管理」→「小サイズトレイ」→「トレイ２〜５」→「使用しない／使用する」のいずれかを選択して、どのトレイで小サイズトレイを使用するかを設定若しくは保存する。このメニューは、プログラムＲＯＭ６に記憶されているものから読み出される。このプログラムＲＯＭ６には、この画像形成装置で交換設置可能な給紙トレイで扱える不定形用紙サイズの大きさの範囲が全て記憶されている。本実施例では「通常」と「小サイズ」の２種類の範囲がそれぞれ記憶されている。
【００３８】
選択結果はＮＶ−ＲＡＭに保存され、電源ｏｆｆ／ｏｎ後も保持される。
給紙トレイの種類が確定した後に、用紙サイズを設定する際には、選択した給紙トレイの種類に対応して、選択できる用紙サイズが変化する。
【００３９】
具体的な例を挙げる。図３で示す例は、第２トレイ（トレイ２）での用紙設定メニューの例である。「メニュー」キーを押下した後に表示されるメニューに従って、「用紙設定」→「トレイ用紙サイズ：トレイ２〜５」を選択した後、給紙トレイの種類が通常トレイであれば、図３の＜Ａ＞メニューのように、通常の用紙サイズの選択肢が表示され、給紙トレイの種類が小サイズトレイであれば、図３の＜Ｂ＞のメニューのように、小さな用紙サイズの選択肢が表示される。
この用紙サイズの選択肢（第３階層）で、不定形サイズを選択した場合、不定形サイズの用紙サイズ設定が表示され（第４及び５階層）、それぞれの種類の給紙トレイで使用できる範囲のサイズが設定できる。
【００４０】
次に、図４を用いて、メニュー制御プログラムの説明をする。
メニュー制御プログラムは、まず、
ステップＳ４０１で、該当する給紙トレイ（トレイ２〜５）の種類をＮＶ−ＲＡＭ１１から読み込み、
ステップＳ４０２で、給紙トレイの種類を判別して、通常トレイであればステップＳ４０３に、小サイズトレイであればステップＳ４０４の処理を行う。ステップＳ４０２〜４０４は、図３の第２階層に相当する。
ステップＳ４０３の処理は、操作パネルに＜Ａ＞のメニューを表示、用紙サイズ選択を操作者に促し、ステップＳ４０５に進む。
ステップＳ４０４の処理は、操作パネルに＜Ｂ＞のメニューを表示、用紙サイズ選択を操作者に促し、ステップＳ４０５に進む。
【００４１】
ステップＳ４０５で、操作者が実行又はキャンセルを指示したかを判断する。実行が指示されればステップＳ４０６に進む。キャンセルが指示されればそのまま保存せずにメニュー処理を終了する。
ステップＳ４０６で、選択用紙サイズが定形か不定形か判断する。定形の場合は、ステップＳ４０９へ進む。不定形であればステップＳ４０７へ進む。図３の第３階層で、不定形サイズを選べばステップＳ４０７へ進むフローである。
【００４２】
ステップＳ４０７で、不定形の用紙サイズをＮＶ−ＲＡＭ１１から読み込み、設定メニューを表示し、ステップＳ４０８へ進む。
ステップＳ４０８で、設定されている給紙トレイで使用できる範囲で不定形の用紙サイズを設定し、変更があれば不定形の用紙サイズをＮＶ−ＲＡＭ１１に保存する。
ステップＳ４０９で、選択した用紙サイズ（図３の第３階層で選んだもの）をＮＶ−ＲＡＭ１１に保存してメニュー処理を終了する。
といった処理を行う。
【００４３】
次に、図４のステップＳ４０７およびステップＳ４０８での、不定形の用紙サイズ設定処理を、図５のフローチャートを挙げてさらに説明する。
処理を開始したら、まず、
ステップＳ５０１で、不定形の用紙サイズをＮＶ−ＲＡＭ１１から読み込み、ステップＳ５０２へ進む。
ステップＳ５０２で、不定形の用紙サイズの値が、選択している種類のトレイで使用できるサイズより大きい、又は小さいかを判断する。大きい場合はステップＳ５０３へ、小さい場合はステップＳ５０４へ進む。
ステップＳ５０３では、選択している種類のトレイで使用できる最大サイズを表示する。
ステップＳ５０４では、選択している種類のトレイで使用できる最小サイズを表示する。
ステップＳ５０５で、ステップＳ５０３及びステップＳ５０４で表示された使用できるサイズの範囲内で設定するよう操作者に促す。このステップＳ５０５が、図３の第４階層及び第５階層に相当する。
ステップＳ５０６及びステップＳ５０７は、図４のステップＳ４０５及びステップＳ４０９同様の制御を行う。
以上で不定形の用紙サイズが選択された場合の処理を終了する。
【００４４】
ステップＳ５０３及びステップＳ５０４で変更して表示するサイズを、最大又は最小ではなく、各種類の給紙トレイに基準となる用紙サイズを表示することも考えられる。
【００４５】
通常トレイを使用していて、小サイズトレイに給紙トレイを変更したとき、通常トレイ使用時に設定していた不定形の用紙サイズが、変更した小サイズトレイで使用できる不定形の用紙サイズより大きかった場合、不定形の用紙サイズを小サイズトレイで使用できる最大の用紙サイズに変更する。
【００４６】
又は、あらかじめ、各種類の給紙トレイに基準となる用紙サイズを定義しておき、最大の用紙サイズに変更する代わりに、この基準となる定義した用紙サイズに変更する。
【００４７】
次に、小サイズトレイを使用していて、通常トレイに給紙トレイを変更したとき、小サイズトレイ使用時に設定していた不定形の用紙サイズが、変更した通常トレイで使用できる不定形の用紙サイズより小さかった場合、不定形の用紙サイズを通常トレイで使用できる最小の用紙サイズに変更する。
【００４８】
又は、あらかじめ、各種類の給紙トレイに基準となる用紙サイズを定義しておき、最小の用紙サイズに変更する代わりに、この基準となる定義した用紙サイズに変更する。
【００４９】
上述の、あらかじめ定義する基準となる用紙サイズは、給紙トレイの種類毎に使用できるサイズの範囲内で任意に設定できることが好ましい。
【００５０】
上述の、設定を変更するタイミングは、給紙トレイを交換して給紙トレイの種類を変更したときではなく、図５のステップＳ５０７のように、不定形用紙サイズで印刷を実行しようとしたときに変更する。
【００５１】
上述のように、不定形用紙サイズの変更を行うとき、変更を実行する前に、不定形の用紙サイズを変更する制御を行うモジュールは、パネルＩ／Ｆ８やホストＩ／Ｆ５といった他のモジュールに不定形の用紙サイズを変更する旨の通知を行う。
【００５２】
例えば、変更通知を受け取った操作パネルの表示制御を行うモジュールは操作パネルに不定形の用紙サイズを変更する旨の表示を行う。
【００５３】
同様に例えば、接続されたホストと通信を行うモジュールは、不定形の用紙サイズを変更する旨の情報をホストに通知する。
【００５４】
同様に例えば、ネットワークと通信を行うモジュールは、不定形の用紙サイズを変更する旨の情報をネットワークに通知する。
【００５５】
上記、不定形の用紙サイズを変更する旨を表示するときの操作パネル表示図が図６である。
【００５６】
本実施例によれば、設定されている不定形の用紙サイズが、実際に使用する給紙トレイの対応範囲を超えているときに、使用する給紙トレイの適切な不定形の用紙サイズを設定するよう誘導できる効果も得られる。また、本実施例によれば、操作者が前回印刷した不定形サイズの用紙の大きさを記憶することで、操作者の利便性を損なわずに、適切な不定形サイズの用紙の大きさを設定し、印刷できる。
【図面の簡単な説明】
【００５７】
【図１】コントローラの機能を説明するブロック図である。
【図２】給紙トレイの種類を選択するメニューの構成図である。
【図３】給紙トレイの用紙サイズを選択するメニューの構成図である。
【図４】給紙トレイの用紙サイズを選択するメニューの制御フロー図である。
【図５】不定形の用紙サイズを設定するメニューの制御フロー図である。
【図６】不定形の用紙サイズを変更する旨を表示するときのパネル表示図である。
【符号の説明】
【００５８】
１    画像形成装置
２    コントローラ
３    ホスト
４    操作パネル
５    ホストＩ／Ｆ
６    プログラムＲＯＭ
７    フォントＲＯＭ
８    パネルＩ／Ｆ
９    ＣＰＵ
１０    ＲＡＭ
１１    ＮＶ−ＲＡＭ
１２    エンジンＩ／Ｆ
１３    プリンタエンジン
１４    オプションＲＡＭ
１５    ネットワーク
１６    ネットワークＩ／Ｆ
１７    ＨＤＤ（大量記憶装置）
【図１】
0004669815.tif 000002
【図２】
0004669815.tif 000003
【図３】
0004669815.tif 000004
【図４】
0004669815.tif 000005
【図５】
0004669815.tif 000006
【図６】
0004669815.tif 000007